(57)【要約】【課題】開封時の内容物の飛び出しを抑制することができるとともに、商品の陳列時に不具合が生じ難い容器を提供することを目的としている。【解決手段】内容物Ｘを収納した有底筒状の容器本体２の開口端縁２ａにフランジ部５が設けられ、フランジ部５にシート状の蓋体３が剥離可能に貼着されて容器本体２の開口端面２ｃが密閉された容器１において、容器本体２の底部６には、軸方向の容器内方側へ凹んだ凹部８が形成され、凹部８には、軸方向の容器内方側から容器外方側に向けて引き出し可能な底板部８１が備えられ、底板部８１には、軸方向の容器外方側へ突出した摘み部８２が設けられている。【選択図】図１
2008239169.tif 000002
【特許請求の範囲】
【請求項１】
内容物を収納した有底筒状の容器本体の開口端縁にフランジ部が設けられ、該フランジ部にシート状の蓋体が剥離可能に貼着されて前記容器本体の開口端面が密閉された容器において、
前記容器本体の底部には、軸方向の容器内方側へ凹んだ凹部が形成され、
該凹部には、軸方向の容器内方側から容器外方側に向けて引き出し可能な底板部が備えられ、
該底板部には、軸方向の容器外方側へ突出した摘み部が設けられていることを特徴とする容器。
【請求項２】
請求項１記載の容器において、
前記底板部は、その外周縁を基点に軸方向に反転されることで、軸方向の容器内方側から容器外方側に向けて引き出されることを特徴とする容器。
【請求項３】
請求項１または２記載の容器において、
前記底部には、前記凹部の開口端縁に連なり容器径方向に延在する接地部が設けられ、
前記底板部が引き出された状態で、前記摘み部の先端が前記接地部より軸方向の容器内方側に配置されることを特徴とする容器。
【発明の詳細な説明】
【技術分野】
【０００１】
本発明は、容器に関する。
【背景技術】
【０００２】
ミルクポーションやゼリー等の食品用の容器として、有底筒状の容器本体のフランジ部にシート状の蓋体を剥離可能に貼着させて容器本体の開口端面を密閉させたものが、一般に広く提供されている。この種の容器では、その内容物を消費する際に、蓋体を剥して開口端面の一部又は全部を開口させ、そこから容器内の内容物を外部に出す。
【０００３】
ところが、蓋体を剥して開封した時に、開口されたところから容器内の内容物の一部が外部に飛び散ることがある。この現象の原因の一つとしては、容器内の内圧が考えられる。すなわち、内容物を容器内に収納させる際、加熱殺菌処理された高温の内容物を容器本体内に充填し、その直後に、容器本体のフランジ部に蓋体を貼着して容器を密封する。その後、この容器は、常温或いはそれ以下まで冷却されるので、容器内の空気が収縮して容器内は減圧状態となる。このため、蓋体が剥されると、開口されたところから外部の空気が容器内に急速に流れ込み、その反動で容器内の内容物が飛び出すものと考えられる。
【０００４】
そこで、従来、容器本体の側壁部に軸方向に伸縮可能な蛇腹部を設けた容器が提案されている。この容器では、内容物を容器内に充填する際、蛇腹部を縮めた状態にしておく。そして、蓋体を剥す前に、上記蛇腹部を伸長させることで、容器本体の内部容積を大きくし、容器内の内容物の液面を下げる。これにより、蓋体を剥した時の内容物の飛び出しを抑制することができる（例えば、特許文献１参照。）。
【特許文献１】実開昭６２−１０８２４０号公報
【発明の開示】
【発明が解決しようとする課題】
【０００５】
しかしながら、上記した蛇腹部を備える従来の容器では、蛇腹部が容器本体の側壁部に設けられているため、蛇腹部を伸縮させる外力が作用し易く、不意の外力により容器本体の内部容積が増減されるという問題が生じる。例えば、不意の外力により蛇腹部が収縮されると、容器内の内容物の液面が上昇し、開封時の内容物の飛び出しを抑制する効果が得られなくなる。
【０００６】
本発明は、上記した従来の問題が考慮されたものであり、開封時の内容物の飛び出しを抑制することができるとともに、不意の外力により容器本体の内部容積が増減されるという不都合を抑制することができる容器を提供することを目的としている。
【課題を解決するための手段】
【０００７】
本発明に係る容器は、内容物を収納した有底筒状の容器本体の開口端縁にフランジ部が設けられ、該フランジ部にシート状の蓋体が剥離可能に貼着されて前記容器本体の開口端面が密閉された容器において、前記容器本体の底部には、軸方向の容器内方側へ凹んだ凹部が形成され、該凹部には、軸方向の容器内方側から容器外方側に向けて引き出し可能な底板部が備えられ、該底板部には、軸方向の容器外方側へ突出した摘み部が設けられていることを特徴としている。
【０００８】
このような特徴により、容器本体内に内容物を充填して容器本体の開口端面を蓋体で密閉する際、底板部は容器内方側の位置に配置されている。そして、容器の密封後に、摘み部を摘んで軸方向の容器外方側へ引っ張ることで、底板部は、軸方向の容器内方側から容器外方側に向けて引き出される。これにより、容器本体の内部容積は大きくなり、容器本体内の内容物の液面は低下する。すなわち、内容物の液面が、容器本体の開口端面から遠ざけられる。
【０００９】
また、本発明に係る容器は、前記底板部が、その外周縁を基点に軸方向に反転されることで、軸方向の容器内方側から容器外方側に向けて引き出されることが好ましい。
【００１０】
これにより、軸方向に引き出し可能な底板部が、簡易な構成で実現される。
【００１１】
また、本発明に係る容器は、前記底部に、前記凹部の開口端縁に連なり容器径方向に延在する接地部が設けられ、前記底板部が引き出された状態で、前記摘み部の先端が前記接地部より軸方向の容器内方側に配置されることが好ましい。
【００１２】
これにより、底板部を引き出した状態でも、摘み部の先端が突出せずに凹部内に配置されるため、接地部を安定した状態で接地させることが可能となる。
【発明の効果】
【００１３】
本発明に係る容器によれば、底板部を軸方向の容器内方側から容器外方側に向けて引き出すことで、容器本体内の内容物の液面が低下するので、開封時における内容物の飛び出しを抑制することができる。また、上記底板部が、容器本体の底部に形成された凹部に設けられているため、不意の外力により底板部が引き出されたり引き戻されたりすることが少なく、容器本体の内部容積が不意に増減される不都合を抑制することができる。また、底板部には摘み部が設けられているため、底板部を簡単に引き出すことができる。これにより、底板部を引き出す作業は、製造者が密封後に行うだけでなく、消費者が消費前に各自で行うこともできる。
【発明を実施するための最良の形態】
【００１４】
以下、本発明に係る容器の実施の形態について、図面に基いて説明する。
【００１５】
図１は本実施の形態における容器１の半断面図であり、（ａ）は底板部を引き出す前の状態を表した図であり、（ｂ）は底板部を引き出した状態を表した図である。なお、図１に示す符号Ｏは容器１の中心軸を示しており、この中心軸Ｏの延在方向（図１における縦方向）を軸方向と記す。
【００１６】
図１に示すように、本実施の形態における容器１は、例えば、ミルク等を収納するポーション容器、或いは、ゼリー等を収納するカップ容器として利用するのに適したものであり、この容器１に収納される内容物Ｘとしては、ミルクやドレッシング等の液体、ゼリー等の液分を有する固体、或いはケチャップやヨーグルト等の半流動体がある。
容器１は、内容物Ｘを収納する容器本体２と、蓋体３と、を備えている。
【００１７】
容器本体２は、円筒状の側壁部４と、底部６と、からなる有底筒状体である。この容器本体２の開口端縁２ａ側（図１における軸方向上側）には、フランジ部５が設けられている。これら４〜６は、例えば、ポリエチレンやポリプロピレン、ポリエチレンテレフタレート等の合成樹脂により一体に形成されている。
【００１８】
側壁部４は、開口端縁２ａ側に向かうに従い漸次径が大きくなっている。
フランジ部５は、側壁部４から径方向外側に張り出された平板状のものであり、容器本体２の開口端縁２ａの全周に亘って形成されている。
底部６は、側壁部４の閉塞端縁２ｂから径方向内側に延在し中心軸Ｏ周りに側壁部４の全周に亘って形成された環状の接地部７と、接地部７の径方向内側に形成され軸方向の容器内方側（開口端２ａ側）に凹んだ凹部８と、から構成されている。
【００１９】
凹部８は、接地部７の内周縁から軸方向の容器内方側へ立設され中心軸Ｏ周りに形成された円筒形状の壁部８０と、この壁部８０の容器内方側の端部を閉塞するように設けられた底板部８１と、により形成されている。つまり、上記した接地部７の内周縁が、当該凹部８の開口端縁（壁部８０の容器外方側の端部）に連なっている。
【００２０】
壁部８０は、軸方向の容器内方側に向かうに従い漸次径が小さくなっている。
底板部８１は、軸方向の容器内方側から容器外方側に向けて引き出し可能になっている。具体的に説明すると、底板部８１は、球面形状のドーム状の部材であり、その外周縁部分８１ａを基点にして軸方向に反転可能になっている。つまり、底板部８１は、図１（ａ）に示すような軸方向の容器内方側に凹んだ状態から、図１（ｂ）に示すような軸方向の容器外方側に膨出した状態に変形可能となっている。また、底板部８１には、軸方向の容器外方側に突出する摘み部８２が設けられている。摘み部８２は、軸方向に沿って延在する円柱形状のものであり、その先端部は拡径されている。この摘み部８２は、指で摘むことができる程度の大きさを有している。また、摘み部８２の軸方向の長さが、底板部８１を図１（ｂ）に示す反転状態にしたときに、接地部７よりも軸方向の容器外方側に突出しない程度の長さ、つまり、摘み部８２の先端が接地部７よりも軸方向の容器内方側に位置するようになっている。
【００２１】
一方、蓋体３は、容器本体２の開口端面２ｃを密閉するためのシート状の部材であり、その外周縁が上記フランジ部５の上面に剥離可能に貼着されている。蓋体３としては、公知のシート状の蓋体を用いることが可能であり、例えば、合成樹脂製のフィルム単体、或いは、合成樹脂製のフィルムとその他のフィルムを積層させた積層フィルム等からなる。
【００２２】
上記した構成からなる容器１では、下記の方法により、容器１内に内容物Ｘを収納させる。
まず、加熱殺菌処理された高温の内容物Ｘを容器本体２内に充填し、その直後に、フランジ部５に蓋体３を貼着させて容器本体２の開口端面２ｃを密閉する。このとき、底板部８１は、図１（ａ）に示すような軸方向の容器内方側に凹んだ状態にしておく。また、容器本体２内一杯に内容物Ｘを充填せず、容器本体２の開口端面２ｃよりも若干下の位置まで内容物Ｘを充填させる。これにより、容器本体２内の内容物Ｘの液面Ｌと蓋体３の裏面との間に気体層Ａが形成される。
次に、密封された容器１を、自然冷却或いは冷却装置により冷却する。このとき、容器１内の気体層Ａが冷却されることで容器１内が減圧され、大気圧よりも低くなる。
【００２３】
上記した構成からなる容器１では、消費者が容器１内の内容物Ｘを消費するのに際し、下記の要領で上記容器１を開封する。
まず、図１（ｂ）に示すように、摘み部８２を指で摘んで軸方向の容器外方側に引っ張り、底板部８１を軸方向に反転させて軸方向の容器外方側に引き出す。これにより、容器本体２内の内部容積が増加し、容器本体２内の内容物Ｘの液面Ｌが下がり、当該液面Ｌが容器本体２の開口端面２ｃから遠ざかる。
次に、蓋体３の外縁部の一箇所を指で摘んで蓋体３を捲り上げて蓋体３を容器本体２から剥す。これにより、容器本体２の開口端面２ｃの一部或いは全部が開口される。そして、その開口された箇所から容器本体２内の内容物Ｘを外部に出し、内容物Ｘを消費する。
なお、上記した底板部８１を引き出す作業は、消費者が行わなくてもよい。例えば、商品の出荷前に予め製造者が行っても良く、或いは、小売業者等の中間業者が行っても良い。
【００２４】
上記した構成からなる容器１によれば、摘み部８２を引っ張り、底板部８１を軸方向の容器内方側から容器外方側に向けて引き出すことで、容器本体２内の内容物Ｘの液面Ｌが低下されるので、開封時における内容物Ｘの飛び出しを抑制することができる。
また、上記底板部８１が、容器本体２の底部６に設けられた凹部８に設けられているため、不意の外力により底板部８１が引き出されたり引き戻されたりすることが少なく、容器本体２の内部容積が不意に増減される不都合を抑制することができる。例えば、引き出されていた底板部８１が不意の外力により引き戻されると、開封時における内容物Ｘの飛び出しを抑制することができないが、上記した容器１によれば、底板部８１が不意の外力により引き戻されることが少ないため、、開封時における内容物Ｘの飛び出しをより確実に抑制することができる。
また、底板部８１には摘み部８２が設けられているため、消費者であっても底板部８１を簡単に引き出すことができる。
【００２５】
また、上記した構成からなる容器１によれば、底板部８１が、外周縁部分８１ａを基点に軸方向に反転可能とされているため、軸方向に引き出し可能な底板部８１が簡易な構成で実現されている。これにより、容器本体２を簡単に製作することができ、生産コストを低減させることができる。
【００２６】
また、上記した構成からなる容器１によれば、底板部８１が引き出された状態で、摘み部８２の先端が接地部７より軸方向の容器内方側に配置されるため、底板部８１を引き出した状態でも、接地部７を安定した状態で接地させることが可能となる。これにより、底板部８１を予め引き出した状態で、容器１を店頭に陳列させることができる。
【００２７】
以上、本発明に係る容器の実施の形態について説明したが、本発明は上記した実施の形態に限定されるものではなく、その趣旨を逸脱しない範囲で適宜変更可能である。
例えば、上記した実施の形態では、底板部８１の外周縁部分８１ａを基点にして底板部８１を反転させることで、底板部８１を軸方向の容器内方側から容器外方側に引き出しているが、本発明は、上記した反転構造以外で底板部８１を引き出してもよい。例えば、図２に示すように、底板部１８１を支持する蛇腹壁１８０を軸方向に伸縮させることで、底板部１８１を軸方向の容器内方側から容器外方側に引き出させることも可能である。詳しく説明すると、凹部８を形成する壁部を蛇腹壁１８０にし、この蛇腹壁１８０の容器内方側の端部に底板部１８１を設けた構成にする。この蛇腹壁１８０は、軸方向に伸縮可能な構造であり、図２（ｂ）に示すように、底板部１８１に設けられた摘み部８２を軸方向の容器外方側に引っ張ることで、蛇腹壁１８０が収縮されて底板部１８１が引き出される。
なお、上記した蛇腹壁１８０と、実施の形態で説明した反転構造の底板部８１とを組み合わせることも可能である。これにより、底板部８１の引き出し量が大きくなり、液面Ｌが一層低下し、開封時に内容物Ｘが更に飛び出し難くなる。
【００２８】
また、上記した実施の形態では、底板部８１が引き出された状態で、摘み部８２の先端が接地部７より軸方向の容器内方側に配置されているが、本発明は、摘み部の全長を長くし、摘み部の先端を接地部７より軸方向の容器外方側に突出させた構成にすることも可能である。これにより、ポーション容器等のような小さい容器の場合であっても、摘み部が指で摘み易くなる。
【００２９】
また、上記した実施の形態では、底板部８１がドーム形状になっているが、本発明の底板部の形状はこれに限定されず、その形状や大きさ等は適宜変更可能である。例えば、図２に示すように、平板形状の底板部１８１であってもよい。
【００３０】
また、上記した実施の形態では、底部６の凹部８に壁部８０が形成されているが、本発明は、この壁部８０が無く、底板部８１の外周縁部分８１ａが接地部７の内周縁部に連結された構成にすることも可能である。
【００３１】
また、上記した実施の形態では、摘み部８２は、先端部が拡径された円柱形状のものであるが、本発明の摘み部の形状はこれに限定されず、その形状や大きさ等は適宜変更可能である。例えば、板状の摘み部であってもよく、或いは、半リング状の摘み部であってもよい。
【００３２】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００３３】
【図１】本発明の実施の形態を説明するための容器の半断面図である。
【図２】本発明の他の実施の形態を説明するための容器の断面図である。
【符号の説明】
【００３４】
１  容器
２  容器本体
２ａ  開口端縁
２ｃ  開口端面
３  蓋体
５  フランジ部
６  底部
８  凹部
８１、１８１  底板部
８２  摘み部
Ｘ  内容物
【図１】
2008239169.tif 000003
【図２】
2008239169.tif 000004